(57)【要約】【課題】インターライントランスファ型固体撮像素子を用いた撮像装置において、１フィールド期間以上のシャッター時間を得ることを目的とする。【解決手段】インターレース方式の撮像信号を生成する際に、全画素読み出し型固体撮像素子１０１を用いて、通常の２倍の画素レートで駆動し、必要な信号電荷と排出すべき不要電荷を共に転送して出力する。奇数行の電荷信号ＳＩＧ１では、まず時刻Ｔａ０１にてフォトダイオード１１、１３、・・・での電荷の蓄積が始まる。その後時刻Ｔｂ１１で、フォトダイオードに貯まった不要電荷を一度排出し、再度、信号電荷の蓄積を始める。そして時刻Ｔａ１１にて改めて信号電荷の読み出しを行う。すなわち、時刻Ｔｂ１１で不要電荷を捨てているので、信号電荷の蓄積時間は図３に示すＴｓ２となり、１フィールド期間以上で１フレーム期間以下のシャッター時間となる。【選択図】図３
2008028608.tif 000002
【特許請求の範囲】
【請求項１】
複数の光電変換素子を有し、前記光電変換素子１個に対し垂直転送レジスタ１段が対応する全画素読み出し型の固体撮像素子を備える固体撮像装置において、
前記光電変換素子はフレーム蓄積モードにより電荷蓄積を行い、
１フレーム期間中に信号電荷を読み出す動作を２回行い、
必要な信号電荷と不要電荷の双方を撮像素子の垂直転送レジスタにより線順次で交互に電荷転送することを特徴とする固体撮像装置。
【請求項２】
前記固体撮像素子は必要な信号電荷と不要電荷の双方を水平転送レジスタにより電荷転送して出力することを特徴とする請求項１記載の固体撮像装置。
【請求項３】
メモリ手段を備え、
前記固体撮像素子の出力信号を前記メモリ手段に書き込み、
必要な映像信号だけを前記メモリ手段から読み出すことを特徴とする請求項１記載の固体撮像装置。
【請求項４】
前記固体撮像素子は複数の水平転送レジスタを備えることを特徴とする請求項２記載の固体撮像装置。
【請求項５】
前記固体撮像素子は必要な信号電荷と不要電荷を異なる水平転送レジスタにより転送することを特徴とする請求項２記載の固体撮像装置。
【請求項６】
前記固体撮像素子は電荷排出ドレーンを備え、
不要電荷を前記電荷排出ドレーンより排出し、
信号電荷を前記水平転送レジスタにより電荷転送して出力することを特徴とする請求項２記載の固体撮像装置。
【請求項７】
前記固体撮像素子はインターライントランスファ型の固体撮像素子であることを特徴とする請求項１記載の固体撮像装置。
【発明の詳細な説明】
【技術分野】
【０００１】
本発明はビデオカメラなどの固体撮像装置に関し、特に１フィールド期間より長いシャッター時間を得る固体撮像装置に関するものである。
【背景技術】
【０００２】
現在使用されているテレビジョン方式の多くは、飛び越し走査（インターレース）方式を採用しており、ビデオカメラなどの撮像装置においても、それに対応した撮像方式が望まれる。近年の撮像装置では、撮像デバイスとして固体撮像素子を使用するものが多いが、固体撮像素子の代表例の一つとして、ＣＣＤ（Ｃｈａｒｇｅ  Ｃｏｕｐｌｅｄ  Ｄｅｖｉｃｅ）撮像デバイスがある。
【０００３】
ＣＣＤ撮像デバイスにおいて、飛び越し走査方式の信号を得る方法として、フレーム蓄積とフィールド蓄積という二つの基本的な方法がある。図１０と図１１は固体撮像装置の固体撮像素子部の電荷読み出しの説明のための概略図である。図において、１１、１２、１３、・・・は光を電気信号（電荷）に変換し蓄積するフォトダイオードであり、２１は読み出しゲート、３１は垂直転送レジスタである。
【０００４】
フレーム蓄積モードでは、各フォトダイオードでの蓄積時間は１フレーム期間に対応し、フィールド毎にフォトダイオードからの信号電荷を交互に読み出す。すなわち、図１０に示すように、第１フィールドでは、奇数ラインのフォトダイオード１１、１３、・・・の信号電荷を読み出し、第２フィールドでは、偶数ラインのフォトダイオード１２、・・・の信号電荷を読み出しゲート２１から垂直転送レジスタ３１へ読み出す。
【０００５】
また、フィールド蓄積モードでは各フォトダイオードでの蓄積時間は１フィールド期間に対応し、フィールド毎に各フォトダイオードからの信号電荷をすべて読み出す。すなわち、図１１に示すように、垂直方向に隣接する二つのフォトダイオード１１、１２の信号電荷を、垂直転送レジスタ３１にて加算する。ここで、加算する画素の組合せを第１フィールドと第２フィールドで変えることで、飛び越し走査方式に対応するものである。
【０００６】
次に、フレーム蓄積モード、およびフィールド蓄積モードにおける信号電荷の蓄積する様子を、図１２、図１３のタイミングチャートを用いて説明する。図１２、図１３において、横軸は時間軸、縦軸は蓄積電荷量であり、時間と共に信号電荷が蓄積する様子を三角形にて表現しており、ＳＩＧ１は奇数行の電荷信号、ＳＩＧ２は偶数行の電荷信号を示している。
【０００７】
図１２に示すフレーム蓄積モードでは、１フィールド毎に奇数行と偶数行から交互に信号を読み出すので、各フォトダイオードでは１フレーム期間の電荷蓄積を行う。すなわち、奇数行のフォトダイオードでは、時刻Ｔａ０１から時刻Ｔａ１１の１フレーム期間に信号電荷を蓄積し、時刻Ｔａ１１において信号電荷を読み出す。また、偶数行のフォトダイオードでは、時刻Ｔａ０２から時刻Ｔａ１２の１フレーム期間に信号電荷を蓄積し、時刻Ｔａ１２において信号電荷を読み出す。
【０００８】
次に、図１３に示すフィールド蓄積モードでは、１フィールド毎に奇数行と偶数行の双方から信号を読み出すので、各フォトダイオードでは１フィールド期間の電荷蓄積を行う。すなわち、各フォトダイオードでは、時刻Ｔａ０２から時刻Ｔａ１１の１フィールド期間に信号電荷を蓄積し、時刻Ｔａ１１において信号電荷を読み出す。
【０００９】
この二つの蓄積モードの特徴を比較すると、フレーム蓄積モードは、垂直方向の画素の加算を行っていないので、垂直変調度に優れている。また、フィールド蓄積モードは、電荷蓄積時間が短いので動解像度が優れている。現在の多くの撮像装置では、動解像度を重視して、フィールド蓄積モードを使用することが多い。
【００１０】
このフィールド蓄積モードでは、各画素における信号電荷の蓄積時間、すなわちシャッター時間は、フィールド周期に等しく、ＮＴＳＣ方式では１／６０秒、ＰＡＬ方式では１／５０秒であるが、固体撮像素子では、電子シャッターと呼ばれる技術により、信号電荷の蓄積時間を変えることができる。これは、フォトダイオードに蓄積した電荷を基板方向に一旦捨てる事により、テレビ方式のフィールド期間より短い蓄積時間を得るものである。
【００１１】
電子シャッターは、例えばスポーツなどにおける速い動きを撮影する時に特に有用となる。すなわち、高速のシャッター時間で撮影することにより、ぶれのない画像を得ることができるからである。なお、この電子シャッター動作では、全てのフォトダイオードの信号電荷を排出してしまうので、フィールド蓄積モードにて使用するのが一般的である。
【００１２】
フィールド蓄積モードにて電子シャッター動作を用いた時の信号電荷の蓄積する様子を、図１４のタイミングチャートを用いて説明する。奇数行の電荷信号ＳＩＧ１では、まず時刻Ｔａ０２にてフォトダイオードでの信号電荷の蓄積が始まる。その後時刻Ｔｂ１１にフォトダイオードに貯まった信号電荷を一度排出し、再度、信号電荷の蓄積を始める。そして時刻Ｔａ１１にて改めて信号電荷の読み出しを行う。すなわち、時刻Ｔｂ１１に不要電荷を捨てているので、信号電荷の蓄積時間は図１４に示すＴｓ１となり、１フィールド期間以下のシャッター時間となる。なお、偶数行の電荷信号ＳＩＧ２についても同様である。
【００１３】
このように、電子シャッターは１フィールド期間より短いシャッター時間で使用することが多い。しかし、逆に１フィールド期間より長いシャッター時間、いわゆるスローシャッターを必要とすることもある。例えば低い垂直走査周波数のパソコンディスプレイ画面を撮影するときや、ＮＴＳＣ方式のカメラでＰＡＬ方式のモニタ画面を撮像するときなどである。
【００１４】
１フィールド期間以上１フレーム期間以下のシャッター時間を得る方法として、例えば特許文献１に開示されているものがある。この従来例では、図９の固体撮像装置の構成を示すブロック図に示すように、全画素読み出し型固体撮像素子１０１、タイミングパルス発生部１１２、サンプルアンドホールド回路１１３、信号処理回路１１４、フレームメモリ１１５から構成される。
【００１５】
この従来例の固体撮像装置では、その動作の前提として、固体撮像素子１０１をフレームレートで信号の蓄積および読み出しを行う。すなわち、信号電荷の蓄積時間として、１フィールド期間ではなく１フレーム期間を基準とする。その動作としては、フレームレートで全画面の信号を出力し、フレームメモリに一旦格納し、読み出し時にインターレース走査に相当する２フィールドの映像信号を生成する。ここで、固体撮像素子１０１においては、フレームレートの信号電荷蓄積なので、電子シャッターのシャッター時間はその最大値として１フレーム期間、すなわちＮＴＳＣ方式では１／３０秒まで可能となる。
【００１６】
また、１フィールド期間以上のシャッター時間を得る別の方法として、特許文献２に記載する固体撮像装置がある。
【特許文献１】特開平８−１９５９１２号公報（第２頁−第４頁）
【特許文献２】特許第３１０９２５０号公報（第２頁−第６頁）
【発明の開示】
【発明が解決しようとする課題】
【００１７】
しかしながら上記特許文献１のような技術においては、同じ蓄積時刻の１フレームの信号から、２フィールドの映像信号を生成しているので、フィールド単位で見ると、同じ時刻の信号が２枚ずつ続くことになり、動きのある映像においてぎくしゃくとしたスムーズでない信号となる。例えば、斜め線を撮像すると、静止している時には滑らかであるが、横方向に動くときにはギザギザが目立つ線となる。
【００１８】
また、特許文献２に記載された固体撮像装置があるが、これはフレームインターライントランスファ（ＦＩＴ）型の固体撮像素子を使用する必要がある。このＦＩＴ型固体撮像素子は構造が複雑でチップ面積が大きく高価であり、その駆動回路は回路規模が大きく、消費電力も多くなる。そのため、大多数の固体撮像装置では、インターライントランスファ（ＩＴ）型の固体撮像素子を使用しており、この技術を使用することは少ない。
【００１９】
なお、フィールド蓄積モードで短いシャッター時間を得る場合のように、蓄積した電荷を基板方向に捨てる方法を、蓄積時間の長いフレーム蓄積モードに適用することはできない。それは、この方法では全てのフォトダイオードの信号電荷を排出してしまうため、奇数行だけ、あるいは偶数行だけのフォトダイオードに信号電荷を残すことができないからである。
【００２０】
本発明は、上述の従来の課題を解決するもので、インターライントランスファ型の固体撮像素子を使用し、動きのスムーズな１フィールド期間以上の蓄積時間の映像信号を生成することのできる固体撮像装置を提供することを目的とする。
【課題を解決するための手段】
【００２１】
本発明の請求項１に記載の発明は、複数の光電変換素子を有し、前記光電変換素子１個に対し垂直転送レジスタ１段が対応する全画素読み出し型の固体撮像素子を備える固体撮像装置であって、前記光電変換素子はフレーム蓄積モードにより電荷蓄積を行い、１フレーム期間中に信号電荷を読み出す動作を２回行い、必要な信号電荷と不要電荷の双方を撮像素子の垂直転送レジスタにより線順次で交互に電荷転送することを特徴とする。
【００２２】
また、本発明の請求項２に記載の発明は、固体撮像素子は必要な信号電荷と不要電荷の双方を水平転送レジスタにより電荷転送して出力することを特徴とする。
【００２３】
また、本発明の請求項３に記載の発明は、メモリ手段を備え、固体撮像素子の出力信号を前記メモリ手段に書き込み、必要な映像信号だけを前記メモリ手段から読み出すことを特徴とする。
【００２４】
また、本発明の請求項４に記載の発明は、複数の水平転送レジスタを備えることを特徴とする。
【００２５】
また、本発明の請求項５に記載の発明は、必要な信号電荷と不要電荷を異なる水平転送レジスタにより転送することを特徴とする。
【００２６】
また、本発明の請求項６に記載の発明は、固体撮像素子は電荷排出ドレーンを備え、不要電荷を前記電荷排出ドレーンより排出し、信号電荷を水平転送レジスタにより電荷転送して出力することを特徴とする。
【００２７】
また、本発明の請求項７に記載の発明は、インターライントランスファ型の固体撮像素子を使用することを特徴とする。
【発明の効果】
【００２８】
以上のように本発明によれば、インターライントランスファ型の固体撮像素子を使用し、動きのスムーズな、１フィールド期間より長いシャッター時間を得ることができるという優れた効果が得られる。
【発明を実施するための最良の形態】
【００２９】
以下、本発明の実施の形態について、図面を用いて説明する。
【００３０】
（実施の形態１）
図１は本発明の実施の形態１における固体撮像装置の構成を示すブロック図、図２は固体撮像素子部の構造を示す概略図である。
【００３１】
図１において、１０１はインターライントランスファ型の全画素読み出し型固体撮像素子、１１２はタイミングパルス発生部、１１０はＡ／Ｄ変換器、１１１はラインメモリ、１１４は信号処理回路である。ここで、まず全画素読み出し型固体撮像素子１０１の構成と動作を図２を用いて説明する。
【００３２】
図２において、１１、１２、１３、・・・はフォトダイオードであり、２１は読み出しゲート、３１は垂直転送レジスタ、４１は水平転送レジスタ、５１は出力アンプである。
【００３３】
フォトダイオード１１、１２、１３、・・・では、光信号を電荷に変換し、所定の蓄積時間において、電荷を蓄積する。読み出しゲート２１は、各々のフォトダイオードと垂直転送レジスタ３１の間に配置されており、通常時は電荷の移動を阻む電位障壁となっている。読み出しゲート２１に電圧を印加することによりその電位障壁が低くなり、フォトダイオードの信号電荷は垂直転送レジスタ３１へと送られる。
【００３４】
垂直転送レジスタ３１は、信号電荷を垂直方向に転送するものであり、全画素読み出し型の固体撮像素子では、垂直方向一列の信号電荷をすべて転送する事が可能である。垂直転送レジスタ３１からは、まず水平に一行分の信号電荷が水平転送レジスタ４１に転送され、その信号電荷は次に水平方向に転送され、出力アンプ５１を通して外部に出力される。
【００３５】
次に、再び水平一行分の信号電荷が垂直転送レジスタ３１から水平転送レジスタ４１へ転送され、同様に水平方向に電荷転送が行われる。このような電荷転送動作を繰り返す事によって、２次元の画像情報を一行分ずつ、固体撮像素子の外部へと出力することができる。
【００３６】
次に、信号電荷の蓄積動作を説明する。図３は、フレーム蓄積モードにてシャッター動作時の信号電荷の蓄積する様子を表したタイミングチャートである。横軸は時間軸、縦軸は蓄積電荷量であり、時間と共に信号電荷が蓄積する様子を三角形にて表現している。奇数行の電荷信号ＳＩＧ１では、まず時刻Ｔａ０１にてフォトダイオード１１、１３、・・・での電荷の蓄積が始まる。その後時刻Ｔｂ１１で、フォトダイオードに貯まった不要電荷を一度排出し、再度、信号電荷の蓄積を始める。そして時刻Ｔａ１１にて改めて信号電荷の読み出しを行う。すなわち、時刻Ｔｂ１１で不要電荷を捨てているので、信号電荷の蓄積時間は図３に示すＴｓ２となり、１フィールド期間以上で１フレーム期間以下のシャッター時間となる。
【００３７】
偶数行の電荷信号ＳＩＧ２についても同様であり、時刻Ｔａ０２からフォトダイオード１２、・・・での電荷の蓄積が始まるが、時刻Ｔｂ１２で貯まった信号電荷を一度排出し、再度、信号電荷の蓄積を始め、時刻Ｔａ１２にて改めて信号電荷の読み出しを行う。すなわち、時刻Ｔｂ１２で信号電荷を捨てているので、信号電荷の蓄積時間は図３に示すＴｓ２となり、同様に１フィールド期間以上で１フレーム期間以下のシャッター時間となる。
【００３８】
ここで、固体撮像素子における信号電荷の転送の様子を、図４の固体撮像素子部の構造を示す概略図を用いて説明する。図４（ａ）では、奇数行のフォトダイオード１１、１３、・・・に図中の「●」で示すように信号電荷が蓄積している。図３における時刻Ｔａ０１において、この奇数行の信号電荷は、図４（ｂ）に図示するように垂直転送レジスタ３１に読み出されて、その後１段ずつ垂直方向に電荷転送が行われる。１行分ずつの信号電荷は、垂直転送レジスタ３１から水平転送レジスタ４１に転送され、さらに水平方向に電荷転送が行われて、出力アンプ５１を通して外部に信号が出力される。
【００３９】
次に、図３における時刻Ｔｂ１１において、図中の「○」で示す奇数行の不要電荷の排出を行う。このとき、まだ奇数行の信号電荷「●」が垂直転送レジスタ３１に一部残っているが、ここでその信号電荷を図４（ｃ）に示すように偶数行のフォトダイオードの横に位置するようにする。ここで、奇数行のフォトダイオードの横には、空いている電荷井戸があるので、奇数行の不要電荷を垂直転送レジスタ３１に読み出すことができ、その結果、図４（ｄ）に示すように必要な信号電荷と不要電荷が交互に垂直転送レジスタ３１に位置することになる。
【００４０】
続いて、必要な信号電荷と不要電荷を１行ずつ、水平転送レジスタ４１から信号を転送し出力する。そして図３における時刻Ｔａ０２においては、奇数行の信号電荷がすべて水平転送レジスタ４１を介して出力されるが、垂直転送レジスタ３１には奇数行の不要電荷がまだ一部残っている。
【００４１】
ここで、図中の「◆」で示す偶数行の信号電荷は垂直転送レジスタ３１に読み出されるが、ここで垂直転送レジスタ３１に残る奇数行の不要電荷を、図４（ｅ）に示すように奇数行のフォトダイオードの横に位置するようにする。偶数行のフォトダイオードの横には、空いている電荷井戸があるので、信号電荷は垂直転送レジスタ３１に読み出され、図４（ｆ）に示すように、再び必要な信号電荷と不要電荷が交互に垂直転送レジスタ３１に位置することになる。
【００４２】
以上の動作を繰り返す事により、必要な信号電荷と不要電荷の双方を、交互に水平転送レジスタ４１から外部へと出力することができ、固体撮像素子１０１から出力される信号は、図５のタイミングチャート（ａ）に示すようになる。この出力信号は、図１に示すＡ／Ｄ変換器１１０において、アナログ信号からディジタル信号へと変換され、ラインメモリ１１１へと入力される。ここで、必要な信号と不要な信号が１ラインずつ交互に存在しているので、必要な信号だけ抜き出して映像信号とする。そこで、ラインメモリ１１１に必要な信号を書き込んで、２倍の時間で読み出す事により、図５（ｂ）に示すような必要な部分だけ取り出した映像信号となり、信号処理回路１１４においてカメラとして必要な信号処理を施して信号出力とする。
【００４３】
以上のように、全画素読み出し型固体撮像素子を用いた撮像装置において、必要な信号電荷と排出すべき不要電荷を垂直転送レジスタ３１に１行毎に交互に並べて転送することにより、インターライン型固体撮像素子において１フィールド期間より長いシャッター時間を得ることができる。
【００４４】
（実施の形態２）
本発明の実施の形態２における固体撮像装置は図６のブロック図に示す構成であり、実施の形態１と異なる点は、全画素読み出し型固体撮像素子１０１に代えて、図７の固体撮像素子部の構造を示す概略図に示す全画素読み出し型固体撮像素子１０２を使用し、さらにラインメモリ１１１を使用しないことである。
【００４５】
図７において、１１、１２、１３、・・・はフォトダイオードであり、２１は読み出しゲート、３１は垂直転送レジスタ、４１、４２は水平転送レジスタ、５１、５２は出力アンプ、６１は転送ゲートである。この固体撮像素子が実施の形態１の図２に示した全画素読み出し型固体撮像素子１０１と異なる点は、水平転送レジスタと出力アンプが２系統あるので、一度に２つの信号を出力できる事である。
【００４６】
そこで、本実施の形態においては、フォトダイオードおよび垂直転送レジスタでは、実施の形態１と同様に図４に示した動作となるが、必要な信号電荷は水平転送レジスタ４１により転送し、不要電荷は水平転送レジスタ４２により転送する。すなわち、垂直転送レジスタ３１から転送される不要電荷については、まず水平転送レジスタ４１に転送された後、さらに転送ゲート６１に電圧を印加する事により、水平転送レジスタ４２に転送する。そして、次の信号電荷は水平転送レジスタ４１に転送するので、必要な信号電荷は水平転送レジスタ４１から出力アンプ５１を通して、また不要電荷は水平転送レジスタ４２から出力アンプ５２を通してそれぞれ出力される。
【００４７】
すなわち、必要な信号電荷と不要電荷を別の出力端子から同時に出力できるので、固体撮像素子の外部にて分離する必要がなく、また、水平転送の周波数も低く抑える事ができる。
【００４８】
（実施の形態３）
本発明の実施の形態３における固体撮像装置では、実施の形態２と同じく、図６のブロック図に示す構成であるが、全画素読み出し型固体撮像素子１０２に代えて、図８の固体撮像素子部の構造を示す概略図に示す全画素読み出し型固体撮像素子１０３を使用する。
【００４９】
図８において、１１、１２、１３、・・・はフォトダイオードであり、２１は読み出しゲート、３１は垂直転送レジスタ、４１は水平転送レジスタ、５１は出力アンプ、６１は転送ゲート、７１は電荷排出ドレーンである。この固体撮像素子が実施の形態１の図２に示した全画素読み出し型固体撮像素子１０１と異なる点は、転送ゲート６１を介して電荷排出ドレーン７１を有する事である。
【００５０】
そこで、本実施の形態においては、フォトダイオードおよび垂直転送レジスタでは、実施の形態１と同様に図４に示した動作となり、必要な信号電荷は水平転送レジスタ４１により水平方向に転送し、出力アンプ５１を通して出力される。
【００５１】
しかし、垂直転送レジスタ３１から転送される不要電荷については、まず水平転送レジスタ４１に転送された後、さらに転送ゲート６１に電圧を印加する事により、電荷排出ドレーン７１に転送され、その電荷は基板方向へと排出される。
【００５２】
すなわち、不要電荷を固体撮像素子の内部にて排出し、必要な信号電荷のみを出力するので、固体撮像素子の外部にて必要な信号電荷と不要電荷を分離する必要がなく、また、水平転送の周波数も低く抑える事ができる。
【００５３】
なお、上述の各実施の形態において、撮像部の撮像デバイスとしてはＣＣＤに限定するものではなく、例えばディジタル信号を出力するＣＭＯＳ型撮像素子でも同様の効果を実現することができる。
【産業上の利用可能性】
【００５４】
本発明にかかる撮像装置は、１フィールド期間より長いシャッター時間を実現できるビデオカメラ等の固体撮像装置として有用である。
【図面の簡単な説明】
【００５５】
【図１】本発明の実施の形態１における固体撮像装置の構成を示すブロック図
【図２】本発明の実施の形態１における固体撮像装置の固体撮像素子部の構造を示す概略図
【図３】シャッター動作時の信号電荷の蓄積する様子を表したタイミングチャート
【図４】電荷転送の動作を説明するための固体撮像素子部の構造を示す概略図
【図５】必要な信号電荷と不要電荷が出力される状態を示すタイミングチャート
【図６】本発明の実施の形態２、３における固体撮像装置の構成を示すブロック図
【図７】本発明の実施の形態２における固体撮像装置の固体撮像素子部の構造を示す概略図
【図８】本発明の実施の形態３における固体撮像装置の固体撮像素子部の構造を示す概略図
【図９】従来の固体撮像装置の構成を示すブロック図
【図１０】従来の固体撮像装置における固体撮像素子部の電荷読み出しの説明のための概略図
【図１１】従来の固体撮像装置における固体撮像素子部の電荷読み出しの説明のための概略図
【図１２】従来の固体撮像装置の信号電荷の蓄積の様子を示すタイミングチャート
【図１３】従来の固体撮像装置の信号電荷の蓄積の様子を示すタイミングチャート
【図１４】従来の固体撮像装置の信号電荷の蓄積の様子を示すタイミングチャート
【符号の説明】
【００５６】
１１、１２、１３  フォトダイオード
２１  読み出しゲート
３１  垂直転送レジスタ
４１、４２  水平転送レジスタ
５１、５２  出力アンプ
６１  転送ゲート
７１  電荷排出ドレーン
１０１、１０２、１０３  全画素読み出し型固体撮像素子
１１０  Ａ／Ｄ変換器
１１１  ラインメモリ
１１２  タイミングパルス発生部
１１３  サンプルアンドホールド回路
１１４  信号処理回路
１１５  フレームメモリ
【図１】
2008028608.tif 000003
【図２】
2008028608.tif 000004
【図３】
2008028608.tif 000005
【図４】
2008028608.tif 000006
【図５】
2008028608.tif 000007
【図６】
2008028608.tif 000008
【図７】
2008028608.tif 000009
【図８】
2008028608.tif 000010
【図９】
2008028608.tif 000011
【図１０】
2008028608.tif 000012
【図１１】
2008028608.tif 000013
【図１２】
2008028608.tif 000014
【図１３】
2008028608.tif 000015
【図１４】
2008028608.tif 000016